(57)【特許請求の範囲】
【請求項１】
座部と、
背もたれと、
前記座部又は前記背もたれにそれぞれ設けられ、着座者の身体信号を検出するセンサと、前記着座者を刺激する刺激装置と、該刺激装置を制御する制御装置とを有する覚醒機器と、を備える椅子であって、
前記座部及び前記背もたれの少なくとも一方はパッド部を備え、
前記センサは、前記座部又は前記背もたれに設けられた前記パッド部の最も厚い部分に配置され、
前記座部及び前記背もたれの少なくとも一方は、本体部を備え、
該本体部上に前記パッド部が設けられており、
前記本体部のうち、前記パッド部の最も厚い部分が配置される第１部分とは異なる第２部分が、前記パッド部の厚み方向において前記第１部分よりも着座者側に張り出すように配置され、
前記本体部のうち、前記第２部分における前記着座者側の位置とは反対側の位置には、前記制御装置が配置されていることを特徴とする椅子。
【請求項２】
前記制御装置及び前記センサは、前記座部にそれぞれ設けられ、
前記センサと前記制御装置とを接続するハーネスを備え、
該ハーネスは、前記センサの前記制御装置側と前記制御装置の前記センサ側とを接続し、
前記センサは、前記パッド部の表面側に取り付けられ、
前記制御装置は、前記パッド部及び前記本体部の裏面側に取り付けられており、
前記パッド部には、前記センサ側と前記制御装置側とに傾斜して延在する貫通孔が形成されており、
前記本体部には、抜き孔が形成されており、
前記ハーネスは、前記貫通孔及び前記抜き孔を通って配設され、
前記抜き孔は、前記貫通孔よりもシート前後方向において幅広に形成されていることを特徴とする請求項１に記載の椅子。
【請求項３】
前記制御装置及び前記センサは、前記座部にそれぞれ設けられ、
前記センサと前記制御装置とを接続するハーネスを備え、
該ハーネスは、前記センサの前記制御装置側と前記制御装置の前記センサ側とを接続し、
前記センサは、前記パッド部の表面側に取り付けられ、
前記制御装置は、前記パッド部及び前記本体部の裏面側に取り付けられており、
前記パッド部には、前記センサ側と前記制御装置側とに傾斜して延在する貫通孔が形成されており、
前記ハーネスは、前記貫通孔を通って配設され、かつ、前記本体部及び前記制御装置の間に形成された空間を通って配設されていることを特徴とする請求項１に記載の椅子。
【請求項４】
前記覚醒機器は、前記刺激装置及び前記制御装置に電力を供給するバッテリを有し、
前記本体部における前記第２部分と、前記制御装置と、前記バッテリとが、前記パッド部の厚み方向で重なる位置に配置されていることを特徴とする請求項１乃至３のいずれか一項に記載の椅子。
【請求項５】
前記座部及び前記背もたれの少なくとも一方は、本体部を備え、
該本体部上に前記パッド部が設けられており、
前記座部又は前記背もたれの少なくとも一部は、表皮で覆われており、
前記パッド部には、吊り込み溝が形成されており、
前記表皮は、前記吊り込み溝を介して前記本体部に吊り込まれており、
前記センサは、前記吊り込み溝を避けた位置に設けられていることを特徴とする請求項１乃至４のいずれか一項に記載の椅子。
【請求項６】
前記座部の上方又は前記背もたれの前方に、前記椅子の幅方向両外側から前記座部又は前記背もたれの内側に張り出して配設されたアームレストを備え、
前記センサは、前記アームレストの間に配置されていることを特徴とする請求項１乃至５のいずれか一項に記載の椅子。
【請求項７】
前記センサは、前記座部の座面の最も高い位置を避けた位置に設けられていることを特徴とする請求項１乃至６のいずれか一項に記載の椅子。
【請求項８】
前記座部と前記背もたれのそれぞれは、相互に円弧状に接触する接触部位を有し、
前記センサは、前記座部における前記接触部位の前方、又は前記背もたれにおける前記接触部位の上方であって、前記椅子の幅方向における前記接触部位の両端の間に配置されていることを特徴とする請求項１乃至７のいずれか一項に記載の椅子。
【請求項９】
脚部材と、
該脚部材に接続されて前記座部を支持する支柱と、を備え、
前記センサは、上面から見たときに前記座部における前記接触部位の両端と前記支柱を結んだ三角形の中に配置されていることを特徴とする請求項８に記載の椅子。
【発明の詳細な説明】
【技術分野】
【０００１】
本発明は、椅子に係り、特に、シートの着座者に刺激を付与する覚醒機器を備える椅子に関するものである。
【背景技術】
【０００２】
車両運転時の事故の発生を未然に防ぐことを目的として、車両の運転者の覚醒度低下を防止する技術が知られている。
例えば、特許文献１には、心拍センサ又は呼吸センサ及びモータ等の電気機器を備える車両用シート用いて、振動刺激を着座者に付与する技術が開示されている。
一方、覚醒度の低下を防止、換言すると居眠りを防止する技術は、車両用シートの他、勉強や仕事を効率的に行うことを目的に、事務用の脚付き椅子等に用いられ得る。
【０００３】
しかし、脚付き椅子に電気機器を取り付ける場合には、車両内部に電気機器を配設可能な車両用シートと異なり、バッテリ、ＥＣＵ（Electrical Control Unit）等の取付スペース及び取付強度を確保することが困難であった。
ここで、脚付き椅子に電気機器を用いる技術として、特許文献２には、着座する者の姿勢を正しくするために、脚付き椅子にセンサを着座面に配し、バッテリ及び制御装置を含むコントロールユニットを椅子の座部（特許文献２には、着席部と記載。）の下面に取り付け、センサの検知信号の有無によって着座者の姿勢を検出する技術が開示されている。
【先行技術文献】
【特許文献】
【０００４】
【特許文献１】特開２０１３−２２０８１０号公報
【特許文献２】特表２００６−５０３５９９号公報
【発明の概要】
【発明が解決しようとする課題】
【０００５】
上記特許文献２に記載の脚付き椅子においては、着座者の姿勢の変更によって、着座者がセンサから離れてしまうことがあり、身体信号をセンサから安定して検出することは困難であった。
また、センサと制御装置とを連結するハーネスが長くなることがあり、この場合には、コストがかかるとともに、導線等の他の部材と絡み合うことによりメンテナンス性が低下する等の不具合が生じることがあった。
さらに、着座者の着座姿勢の変化により、座部内のパッド部が本体部からずれることに伴って、パッド部に取り付けられたセンサの位置がずれてしまうことがあった。このように、センサの位置が身体信号の検出に最適化された位置からずれることにより、身体信号の検出精度が低下することがあった。
また、座部に表皮を吊り込むための吊り込み溝が形成されている場合には、吊り込み溝にセンサの一部が落ち込むことによって、センサと着座者との接触圧が低下し、身体信号の検出精度が低下することがあった。
また、例えば掃除の際に椅子を逆さまにして座部を机の上に載せた場合に、座部に設けられたセンサに加わる椅子の自重や、椅子が倒れたときに床等からセンサに加わる衝撃により、センサが壊れてしまうことがあった。
【０００６】
本発明は、かかる問題点に鑑みてなされたものであり、本発明の目的は、着座者からの身体信号を高い精度で検出可能な椅子を提供することにある。
他の目的は、コスト低減等のため、ハーネスを短くすることにある。
その他の目的は、センサの位置ずれを防止することにある。
その他の目的は、吊り込み溝によるセンサの検出精度の影響を抑制することにある。
その他の目的は、センサに外部からの荷重をかかりづらくすることにある。
【課題を解決するための手段】
【０００７】
前記課題は、本発明に係る椅子によれば、座部と、背もたれと、前記座部又は前記背もたれにそれぞれ設けられ、着座者の身体信号を検出するセンサと、前記着座者を刺激する刺激装置と、該刺激装置を制御する制御装置とを有する覚醒機器と、を備える椅子であって、前記座部及び前記背もたれの少なくとも一方はパッド部を備え、前記センサは、前記座部又は前記背もたれに設けられた前記パッド部の最も厚い部分に配置され、前記座部及び前記背もたれの少なくとも一方は、本体部を備え、該本体部上に前記パッド部が設けられており、前記本体部のうち、前記パッド部の最も厚い部分が配置される第１部分とは異なる第２部分が、前記パッド部の厚み方向において前記第１部分よりも着座者側に張り出すように配置され、前記本体部のうち、前記第２部分における前記着座者側の位置とは反対側の位置には、前記制御装置が配置されていることにより解決される。
【０００８】
上記構成によれば、センサがパッド部の最も厚い部分に配置されていることで、着座者から受ける圧力に応じたパッド部の伸縮幅を大きい部分にセンサが配置されることとなる。
このため、センサと身体との接触を維持しやすくできることで、着座者からの身体信号の検出の精度を向上させることができる。
【０００９】
また、前記制御装置及び前記センサは、前記座部にそれぞれ設けられ、前記センサと前記制御装置とを接続するハーネスを備え、該ハーネスは、前記センサの前記制御装置側と前記制御装置の前記センサ側とを接続し、前記センサは、前記パッド部の表面側に取り付けられ、前記制御装置は、前記パッド部及び前記本体部の裏面側に取り付けられており、前記パッド部には、前記センサ側と前記制御装置側とに傾斜して延在する貫通孔が形成されており、前記本体部には、抜き孔が形成されており、前記ハーネスは、前記貫通孔及び前記抜き孔を通って配設され、前記抜き孔は、前記貫通孔よりもシート前後方向において幅広に形成されていると好ましい。
上記構成によれば、ハーネスがセンサの制御装置側と制御装置のセンサ側とを接続する構成であるため、センサと制御装置とを接続するハーネスの長さを短くすることができる。
また上記構成によれば、センサ側と制御装置側とに傾斜して延在する貫通孔を介してセンサと制御装置とを接続することで、ハーネスの長さを短くすることができる。
【００１１】
また、前記制御装置及び前記センサは、前記座部にそれぞれ設けられ、前記センサと前記制御装置とを接続するハーネスを備え、該ハーネスは、前記センサの前記制御装置側と前記制御装置の前記センサ側とを接続し、前記センサは、前記パッド部の表面側に取り付けられ、前記制御装置は、前記パッド部及び前記本体部の裏面側に取り付けられており、前記パッド部には、前記センサ側と前記制御装置側とに傾斜して延在する貫通孔が形成されており、前記ハーネスは、前記貫通孔を通って配設され、かつ、前記本体部及び前記制御装置の間に形成された空間を通って配設されていると好ましい。
【００１２】
また、前記覚醒機器は、前記刺激装置及び前記制御装置に電力を供給するバッテリを有し、前記本体部における前記第２部分と、前記制御装置と、前記バッテリとが、前記パッド部の厚み方向で重なる位置に配置されていると好ましい。
【００１３】
また、前記座部及び前記背もたれの少なくとも一方は、本体部を備え、該本体部上に前記パッド部が設けられており、前記座部又は前記背もたれの少なくとも一部は、表皮で覆われており、前記パッド部には、吊り込み溝が形成されており、前記表皮は、前記吊り込み溝を介して前記本体部に吊り込まれており、前記センサは、前記吊り込み溝を避けた位置に設けられていると好ましい。
上記構成によれば、センサが吊り込み溝を避けた位置に設けられていることで、センサが吊り込み溝の縁に触れることによって、局所的な負荷がセンサに加わることを回避することができる。
【００１４】
また、前記座部の上方又は前記背もたれの前方に、前記椅子の幅方向両外側から前記座部又は前記背もたれの内側に張り出して配設されたアームレストを備え、前記センサは、前記アームレストの間に配置されているとよい。
上記構成によれば、椅子が外圧受けた場合に、アームレストによってセンサを保護することが可能となり、センサの故障可能性を低減することができる。
【００１５】
また、前記センサは、前記座部の座面の最も高い位置を避けた位置に設けられていると好ましい。
上記構成によれば、座部の座面の最も高い位置を避けた位置にセンサが設けられていることで、座部上に箱状のものを置いたときや、椅子を逆さまにして机の上に座部を載せたとき等、座部に他の物が平面的に触れる場合に、先ず座部の座面の最も高い位置で荷重を受けるので、センサに加わる荷重を制限できセンサを保護することができる。
【００１６】
また、前記座部と前記背もたれのそれぞれは、相互に円弧状に接触する接触部位を有し、前記センサは、前記座部における前記接触部位の前方、又は前記背もたれにおける前記接触部位の上方であって、前記椅子の幅方向における前記接触部位の両端の間に配置されていると好ましい。
上記構成によれば、座部と背凭れとの接触部位の前方又は上方であり、その接触部位の両端の間においては、座部又は背凭れの変形を抑制することができる。このため、その領域内にセンサを配置することによって、センサに座部又は背凭れの変形による荷重がセンサに加わることを抑制して安定して身体信号を検出することができる。
【００１７】
さらに、脚部材と、該脚部材に接続されて前記座部を支持する支柱と、を備え、前記センサは、上面から見たときに前記座部における前記接触部位の両端と前記支柱を結んだ三角形の中に配置されていると好ましい。
上記構成によれば、座部における背もたれとの接触部位の両端と支柱とを結んだ三角形の中にセンサが配置されていることで、座部において着座者の着座時に最も荷重が加わる位置にセンサが配置されることととなり、身体信号を安定して検出することができる。
【発明の効果】
【００１８】
本発明によれば、着座者から身体信号検出の精度向上を向上させることができる。
また、本発明によれば、ハーネスの長さを短くすることができる。
また、本発明によれば、センサが身体信号を安定して検出可能となる。
また、本発明によれば、外力がセンサに加わることを回避することができる。
さらに、本発明によれば、センサの故障可能性を低減することができる。
また、本発明によれば、センサに加わる荷重を制限できセンサを保護することができる。
また、本発明によれば、センサに座部又は背もたれの変形による荷重がセンサに加わることを抑制して安定して身体信号を検出することができる。
【図面の簡単な説明】
【００１９】
【図１】本発明の実施形態に係る脚付き椅子の外観図である。
【図２】保持カバーが取り付けられるクッションパン下面を示す下側斜視図である。
【図３】図１のIII-III断面を示す模式的な断面図である。
【図４】脚付き椅子に取り付けられる制御装置、バッテリ及び保持カバー等の分解斜視図である。
【図５】制御装置及びバッテリを保持した状態の保持カバーを示す斜視図である。
【図６】制御装置及びバッテリを保持する保持カバーがクッションパンの下面に取り付けられた状態を示す模式的な正面図である。
【図７】呼吸センサをパッド部に取り付ける様子を示した図である。
【図８】樹脂プレートを示す平面図である。
【図９】脚付き椅子を逆さまにして机の上に載せた状態を示す模式的な正面図である。
【図１０】呼吸センサの配置を示す、クッションパンの模式的な平面図である。
【図１１】呼吸センサの配置を示す、アームレストを備える脚付き椅子の模式的な正面図である。
【図１２】第１変形例に係るパッド部上にある呼吸センサの配置を示す模式的な平面図である。
【図１３】第２変形例に係るパッド部上にある呼吸センサの配置を示す模式的な平面図である。
【図１４】吊り込み溝に一部が入り込んだ呼吸センサを示す、図１３のXIV-XIV断面を示す模式的な断面図である。
【発明を実施するための形態】
【００２０】
本発明は、椅子に関するものであり、特に、覚醒機器（居眠り防止機器）を備える椅子に関するものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
以下、本発明の一実施形態に係る脚付き椅子Ｓ、並びに脚付き椅子Ｓに設けられたＥＣＵ７、バッテリ８及びこれらを保持する保持カバー７１について、図面を参照しながら説明する。
なお、以下において、前後方向は、椅子の前後方向を示すものとし、左右方向は椅子の左右方向を示すものとし椅子の幅方向ともいう。
【００２１】
まず、図１〜図３を主に参照して、脚付き椅子Ｓの主な構成について説明する。ここで、図１は、本発明の実施形態に係る脚付き椅子Ｓの外観図、図２は、保持カバー７１が取り付けられるクッションパンＦ２１の下面を示す下側斜視図、図３は、図１のIII-III断面を示す模式的な断面図である。
脚付き椅子Ｓは、主に、脚部材Ｆ３と、脚部材Ｆ３に取り付けられて着座者の臀部を支持するクッションパンＦ２１と、クッションパンＦ２１に連結された背もたれ部であるバックパンＦ２２と、覚醒機器Ｕとから構成されている。
【００２２】
脚部材Ｆ３は、４本に分岐する足部Ｆ３１と、足部Ｆ３１に連続的に形成された支柱筒Ｆ３０とから構成されて、主に樹脂材料から形成されている。
足部Ｆ３１における４本に分岐したそれぞれの先端には、キャスターＦ３１ａが取り付けられている。
また、足部Ｆ３１は、本実施形態においては４本に分岐する構成となっているが、３本以上に分岐する構成であってもよく、さらに、キャスターＦ３１ａを備えなくてもよい。
【００２３】
支柱筒Ｆ３０は、足部Ｆ３１の中央に固定されて上方に延在している。支柱筒Ｆ３０の中に、後述する支柱Ｆ２１ａが通されて固定される。
クッションパンＦ２１は、本発明に係る座部に相当するものであり、図２に示すように、金属製の座部フレーム７４と、座部フレーム７４の上部に取り付けられた樹脂プレートＦ２１ｄと、樹脂プレートＦ２１ｄの上部に取り付けられた表皮付きパッド部Ｆ２１ｅと、から構成されている。
座部フレーム７４の中央には、周囲に対して垂直に延在するパイプ状の支柱Ｆ２１ａが溶接等によって接合されている。
また、座部フレーム７４には、タッピングネジＮ１（図４参照）を通す通し孔Ｆ２１ｈが、前後に２つずつ形成されている。
具体的には、この通し孔Ｆ２１ｈは、座部フレーム７４及び後述する保持カバー７１を樹脂プレートＦ２１ｄへ取り付けるタッピングネジＮ１を通すためのものである。
【００２４】
樹脂プレートＦ２１ｄは、着座者の臀部から伝わる熱を放熱するために、上下方向に形成された複数の抜き孔Ｆ２１ｊを有する。この抜き孔Ｆ２１ｊは、放熱機能を有するとともに、後述するハーネス１１を樹脂プレートＦ２１ｄの上下に挿通させる機能を有する。
【００２５】
表皮付きパッド部Ｆ２１ｅは、ウレタン等のクッション材から成るパッド部Ｆ２１ｏと、パッド部Ｆ２１ｏを覆う表皮とから構成されており、表皮とパッド部Ｆ２１ｏの間に後述する呼吸センサ９が配設されている。なお、図３、後述する図９においては、表皮を省略して表皮付きパッド部Ｆ２１ｅを示している。
パッド部Ｆ２１ｏには、図３に示すように、ハーネス１１を後述するＥＣＵ７にガイドするガイド孔Ｆ２１ｋが形成されている。
ガイド孔Ｆ２１ｋは、本発明に係る貫通孔に相当し、パッド部Ｆ２１ｏの上面に設けられた呼吸センサ９の前方から、ＥＣＵ７の近傍へと、前方、且つ、下方に斜め延びるように形成されている。
【００２６】
バックパンＦ２２は、クッションパンＦ２１の後部と連結されており、クッションパンＦ２１から略鉛直上方に延在して形成されている。
バックパンＦ２２の内部の中央には、図１に示すように振動装置３５が取り付けられている。この振動装置３５は、詳細については後述するが、覚醒機器Ｕを構成部品であり、ＥＣＵ７の制御信号に応じて着座者に振動刺激を付加するものである。
【００２７】
＜覚醒機器について＞
次いで、覚醒機器Ｕについて説明する。
本実施形態に係る覚醒機器Ｕは、ＥＣＵ７、バッテリ８、呼吸センサ９及び振動装置３５から主に構成されている。
【００２８】
振動装置３５は、公知のアンバランスマスモータから成る所謂「振動モータ」を備える装置である。
【００２９】
ＥＣＵ７は、電気制御を総合的に実行する中枢機能であり、本例においては、呼吸の間隔を示すデジタル信号に変換された電位差信号を基に、振動装置３５を駆動制御する機能を有する。
本実施形態に係るＥＣＵ７は、演算制御用のＣＰＵ、ＲＯＭ、ＲＡＭ等を備えて構成された、ハード的には汎用のＥＣＵである。
ＥＣＵ７には、図３に示す呼吸センサ９に接続されたハーネス１１、振動装置３５に接続された図示せぬハーネス、及びバッテリ８に接続された図示せぬケーブルが接続されている。
【００３０】
なお、呼吸センサ９からハーネス１１を介してＥＣＵ７に入力される信号は、信号処理回路によってデジタル信号に変換された電位差信号であり、出力されるものは、振動装置３５を駆動するための電力である。
ＲＡＭは、演算制御中の信号及び入出力される信号を含むパラメータを一時記憶するもので、デジタル信号に変換された電位差信号その他の信号を格納する格納部として機能する。
【００３１】
ＲＯＭは、ＣＰＵが実行するプログラム及び所定値のパラメータを記憶するものであり、例えば、所定の基準値を設定する基準値設定部や、基準値に基づき覚醒状態を判定する判定部、振動装置３５を駆動する駆動部等がプログラムとして記録されている。
この駆動部は、ＣＰＵの指示に応じて電力を供給することにより振動装置３５を駆動する機能を有する。
このＣＰＵの指示信号は、呼吸センサ９からの信号を演算することにより形成される。
つまり、呼吸センサ９から送信される信号により、着座者の覚醒状態を判断し、覚醒状態ではないと判断した場合に、振動装置３５を駆動するための信号がＣＰＵから発信されるよう構成されている。なお、当該構成は公知の構成が使用されていればよく、呼吸センサ９の代わりに心拍センサを用いるようにしてもよい。
【００３２】
覚醒機器Ｕを構成するＥＣＵ７は、図３に示すように、保持カバー７１によってクッションパンＦ２１の下面側に取り付けられており、振動装置３５は、図１に示すように、バックパンＦ２２の着座者側を向く面の中央部付近に取り付けられている。
【００３３】
バッテリ８は、ＥＣＵ７及び振動装置３５に電力を供給する機能を有し、本実施形態においては板状に形成されている。バッテリ８は、後述する制御装置Ｕ１の下方に重ねて取り付けられている。バッテリ８は、図示せぬ充電コードが接続されることによって家庭用電源から充電されるものである。そして、バッテリ８は、スマートフォン等の充電用に使用されるバッテリを転用することが可能である。
なお、バッテリ８は、給電式のものに限定されず、着脱式のものであってもよい。
【００３４】
＜ＥＣＵ及びバッテリの取り付けについて＞
次いで、図１〜図３に加え、図４〜図６を参照して、ＥＣＵ７及びバッテリ８の取り付けについて説明する。
ここで、図４は、脚付き椅子Ｓに取り付けられる制御装置Ｕ１、バッテリ８及び保持カバー７１等の分解斜視図、図５は、制御装置Ｕ１、バッテリ８を保持した状態の保持カバー７１を示す斜視図、図６は、制御装置Ｕ１及びバッテリ８を保持する保持カバー７１がクッションパンＦ２１の下面に取り付けられた状態を示す模式的な正面図である。
【００３５】
本実施形態においては、ＥＣＵ７は、ベース部材７２及びカバー部材７３によって覆われて支持され、さらにバッテリ８とともに、保持カバー７１によって保持されて座部フレーム７４に取り付けられる。なお、ＥＣＵ７とベース部材７２とカバー部材７３とを組み合わせたユニットを制御装置Ｕ１ともいう。
【００３６】
図４に示すように、保持カバー７１は、上方が開放されており鉛直断面が略コ字形状である収容凹溝７１ａと、その上部の両端から外側上方へとフランジ状に延出するパン取付部７１ｂとを備え、樹脂材料で形成されている。
パン取付部７１ｂは、本発明に係る被締結部に相当するものであり、パン取付部７１ｂには、タッピングネジＮ１が通されるパン取付孔７１ｃが形成されている。
【００３７】
ベース部材７２及びカバー部材７３は、鉛直断面が略コ字形状の枠体である。
詳細には、ベース部材７２は、略コ字形状の断面を有して、幅方向長さよりも長く前後方向に延在している。
一方、カバー部材７３は、略コ字形状の断面を有して、前後方向長さよりも長く幅方向に延在している。
特に、カバー部材７３の前面には、ＥＣＵ７の図示せぬカプラを露出させて、カプラによってＥＣＵ７と呼吸センサ９又は振動装置３５とを接続するため、方形状の切り欠きが形成されている。
これらは、上下に重ね合わせられることで、内部にＥＣＵ７の格納空間を形成する。
そして、ベース部材７２とカバー部材７３とは、ＥＣＵ７を格納した状態で固定ネジＮ２によって締結され、バッテリ８の上に積層されて、収容凹溝７１ａ内に保持される。
【００３８】
制御装置Ｕ１は、バッテリ８とともに保持カバー７１の溝内部に格納されている。この状態で、保持カバー７１は、パン取付部７１ｂ（本例では２個存在する）に形成されたパン取付孔７１ｃ（本例では４個存在する）からタッピングネジＮ１により、クッションパンＦ２１に留め付けられる。
詳細には、タッピングネジＮ１は、パン取付孔７１ｃ、及び座部フレーム７４の通し孔Ｆ２１ｈを通って、樹脂プレートＦ２１ｄにタッピング留めされる。
【００３９】
図６に示すように、保持カバー７１が座部フレーム７４に取り付けられた状態においては、座部フレーム７４に当接するパン取付部７１ｂがカバー部材７３よりも上方に突出しているために、カバー部材７３と座部フレーム７４との間に空間ＳＰが形成される。
このように、形成された空間ＳＰによって、ＥＣＵ７及びバッテリ８からの発熱を放熱することができる。
さらに、図３に示すように、空間ＳＰの一部を利用して、例えば呼吸センサ９とＥＣＵ７とに繋がるハーネス１１を配設することも可能である。
その他、振動装置３５又はバッテリ８とＥＣＵ７とを繋ぐ図示せぬハーネス又はケーブルを空間ＳＰの一部に通すようにしてもよい。
【００４０】
＜呼吸センサの取り付け位置について＞
次いで、図１〜６に加え、図７〜図１１を参照して、呼吸センサ９の取り付け位置について説明する。
ここで、図７は、呼吸センサ９をパッド部Ｆ２１ｏに取り付ける様子を示した図、図８は、樹脂プレートＦ２１ｄを示す平面図、図９は、脚付き椅子Ｓを逆さまにして机２１の上に載せた状態を示す模式的な正面図、図１０は、呼吸センサ９の配置を示す、クッションパンＦ２１の模式的な平面図、図１１は、呼吸センサ９の配置を示す、アームレスト２４を備える脚付き椅子Ｓ１の模式的な正面図である。
【００４１】
呼吸センサ９は、図７に示すように、パッド部Ｆ２１ｏの略中央に形成されたガイド孔Ｆ２１ｋにハーネス１１が通されて、パッド部Ｆ２１ｏの上面に両面テープや接着剤などで取り付けられる。
【００４２】
特に、呼吸センサ９が取り付けられるパッド部Ｆ２１ｏの部位は他の部位よりも上下方向に厚く形成されている。パッド部Ｆ２１ｏの厚い部位は、上下方向の伸縮量が大きいため、着座者の臀部にフィットするように変形しやすい。
このため、パッド部Ｆ２１ｏの厚い部位に呼吸センサ９が取り付けられていることで、パッド部Ｆ２１ｏが変形に伴って呼吸センサ９が変形し、着座者にフィットすることとなる。
したがって、呼吸センサ９の長尺方向に配された複数の電極９ａを着座者に好適に接触させて、身体信号を安定して検出することが可能となる。
【００４３】
また、呼吸センサ９が取り付けられる部位におけるパッド部Ｆ２１ｏの上面、この部位の下方にあるパッド部Ｆ２１ｏの下面は、平滑に形成されている。
このようにパッド部Ｆ２１ｏが形成されていることで、パッド部Ｆ２１ｏの形状の違いによる呼吸センサ９の身体信号の誤検出を回避することができる。
【００４４】
パッド部Ｆ２１ｏが載せられる樹脂プレートＦ２１ｄの上面には、図８に示すように、椅子の幅方向に並び、椅子の前後方向に延在して、樹脂プレートＦ２１ｄの上面から下方に窪んでいる一対の長円状の凹溝２０ａが形成されている。
凹溝２０ａのそれぞれの中には、椅子の前後方向に間隔を空けて並び、椅子の幅方向に延在して、凹溝２０ａの底から樹脂プレートＦ２１ｄの上面位置まで形成された３枚の板状のリブ２０ｂが形成されている。
また、樹脂プレートＦ２１ｄの上面の中央には、椅子の幅方向に延在して、周囲よりも上方に突出する一個の長円状の凸部２０ｃが形成されている。
そして、パッド部Ｆ２１ｏの裏面には、凹溝２０ａ及びリブ２０ｂに一致する配置及び形状の図示せぬ突起が形成されており、凸部２０ｃに一致する配置及び形状の図示せぬ窪みが形成されている。
【００４５】
このように形成された樹脂プレートＦ２１ｄとパッド部Ｆ２１ｏとを上下に組み合わせて接着することで、パッド部Ｆ２１ｏの樹脂プレートＦ２１ｄに対する位置ズレが防止される。
つまり、凹溝２０ａ、リブ２０ｂ及び凸部２０ｃは、本発明に係る位置ずれ防止部として機能する。
なお、位置ずれ防止部としては、リブ２０ｂ及び凸部２０ｃのような凹凸形状から成るものに限られず、接着材を用いるようにしてもよい。
また、樹脂プレートＦ２１ｄとパッド部Ｆ２１ｏとの取り付けは接着によらず、樹脂プレートＦ２１ｄ上にパッド部Ｆ２１ｏを一体成形するようにしてもい。また、単に樹脂プレートＦ２１ｄ上にパッド部Ｆ２１ｏを載せた後に、パッド部Ｆ２１ｏを覆う図示せぬ表皮を樹脂プレートＦ２１ｄに固定するようにして取り付けることもできる。
【００４６】
また、床掃除等際には、図９に示すように、脚付き椅子Ｓを逆さまにして机２１上に載せられることがある。
このような状態において、呼吸センサ９は、脚付き椅子Ｓの自重によってクッションパンＦ２１が圧縮した状態においても机２１に接しない、クッションパンＦ２１の中央の窪んだ部分に配設されている。
このため、呼吸センサ９に脚付き椅子Ｓの自重による机２１からの反力が加わることを回避することができ、呼吸センサ９の故障を回避することができる。
【００４７】
例えば、クッションパンＦ２１の後ろ側に取り付けられたバックパンＦ２２よりも、前側に取り付けられた制御装置Ｕ１及びバッテリ８を保持する保持カバー７１が重い場合には、クッションパンＦ２１は前側に荷重が大きくかかることとなる。
この場合には、呼吸センサ９が、クッションパンＦ２１の後ろ側に配設されていることで、呼吸センサ９に机２１に接触することを回避でき、また接触したとしても自重の反力による大きな荷重がかかることを回避することができる。
【００４８】
また、クッションパンＦ２１とバックパンＦ２２とが接触しており、その接触部位２３が平面視で円弧状である場合を図１０に示す。
この場合には、呼吸センサ９は、接触部位２３における椅子の幅方向の両端部３２ａと、支柱Ｆ２１ａの中心とを結ぶ三角形の内側に配設されていると好ましい。
このような構成によれば、クッションパンＦ２１における三角形内にある呼吸センサ９は、バックパンＦ２２に後方を覆われることによって、他のものからの荷重がかかりづらく保護されることとなる。
【００４９】
また、図１１に示すように、アームレスト２４を有する脚付き椅子Ｓ１において、アームレスト２４がクッションパンＦ２１の椅子の幅方向内側に張り出して形成されている場合には、呼吸センサ９がアームレスト２４よりも内側に配設されていると望ましい。
このように、呼吸センサ９が配設されていることで、アームレスト２４によって、呼吸センサ９が他のものから保護されることとなる。
【００５０】
（第１，２変形例）
第１変形例に係るパッド部Ｆ２１ｐに取り付けられる呼吸センサ９の配置について図１２を参照し、第２変形例に係るパッド部Ｆ２１ｑに取り付けられる呼吸センサ９の配置について図１３及び図１４を参照して説明する。
ここで、図１２は、第１変形例に係るパッド部Ｆ２１ｐ上、図１３は、第２変形例に係るパッド部Ｆ２１ｑ上にある呼吸センサ９の配置を示す模式的な平面図である。また、図１４は、吊り込み溝２２ａに一部が入り込んだ呼吸センサ９を示す、図１３のXIV-XIV断面を示す模式的な断面図である。
【００５１】
脚付き椅子ＳのクッションパンＦ２１には、着座感を良好にするとともに、意匠性を高めることを目的に吊り込み溝２２を設けて、図示せぬ表皮を吊り込み溝２２内に吊り込むようにして形成されるものがある。
【００５２】
例えば、図１２に示すパッド部Ｆ２１ｐには、椅子の上下方向に並び、椅子の幅方向に延在する一対の吊り込み溝２２が形成されている。
このようなパッド部Ｆ２１ｐに、呼吸センサ９を配設する場合には、吊り込み溝２２に重ならない位置、具体的には、吊り込み溝２２の間に呼吸センサ９を配設すると好ましい。このように配設することで、着座者の臀部から荷重が呼吸センサ９に加わりパッド部Ｆ２１ｐが変形する場合においても、呼吸センサ９に及び吊り込み溝２２による応力分布の変動の影響を小さく抑えることができる。
このため、呼吸センサ９の着座者に対する接触応力の変動を抑制し、身体信号の誤検出を抑制することができる。
【００５３】
また、第２変形例に係るパッド部Ｆ２１ｑには、椅子の上下方向に並び、椅子の幅方向に延在する３つの吊り込み溝２２ａが形成されている。
このようなパッド部Ｆ２１ｑに、呼吸センサ９を配設する場合に、吊り込み溝２２ａを避けて呼吸センサ９を配設できないときには、吊り込み溝２２ａに電極９ａが重ならないように配設するようにすればよい。
【００５４】
このように配設することで、着座者の臀部から荷重が呼吸センサ９に加わりパッド部Ｆ２１ｑが変形する場合においても、電極９ａに及ぶ吊り込み溝２２ａによる応力分布の変動の影響を小さく抑えることができる。
このため、呼吸センサ９の着座者に対する接触応力の変動を抑制し、身体信号の誤検出を抑制することができる。
さらに、吊り込み溝２２ａによる呼吸センサ９の配置の制限が抑制されるため、意匠の自由度が向上することとなる。
【００５５】
また、パッド部Ｆ２１ｑにおける吊り込み溝２２ａによって分断された部位には、着座者からの荷重が加わることにより上下方向水平方向に位置ずれが生じる。このようにパッド部Ｆ２１ｑに位置ずれが生じるため、呼吸センサ９が緊張状態で吊り込み溝２２ａを跨ってパッド部Ｆ２１ｑ上に貼り付けられていると、この位置ずれに伴って呼吸センサ９に圧縮・引張方向の繰り返し応力が加わることとなる。このように繰り返し応力が呼吸センサ９に加わることで、呼吸センサ９内の導線が切断されることが考えられる。
このため、図１４に示すように、吊り込み溝２２ａ内に図示せぬ表皮を吊り込むためのワイヤ２２ｂの下方に、呼吸センサ９を構成する導線付きフィルム９ｂを入り込ませ、撓んだ状態にすると好ましい。
このように呼吸センサ９を配設することで、支柱Ｆ２１ａの位置ずれに伴って呼吸センサ９の弛み量が変わることで呼吸センサ９の内部に繰り返し応力が加わることを回避することができる。
【符号の説明】
【００５６】
Ｆ２１  クッションパン（座部）
Ｆ２１ａ  支柱
Ｆ２１ｄ  樹脂プレート（本体部）
Ｆ２１ｅ  表皮付きパッド部
Ｆ２１ｈ  通し孔
Ｆ２１ｊ  抜き孔
Ｆ２１ｋ  ガイド孔（貫通孔）
Ｆ２１ｏ  パッド部
Ｆ２１ｏ，Ｆ２１ｐ，Ｆ２１ｑ  パッド部
Ｆ２２  バックパン（背もたれ）
Ｆ３  脚部材
Ｆ３０  支柱筒
Ｆ３１  足部
Ｆ３１ａ  キャスター
Ｎ１  タッピングネジ（留め具）
Ｎ２  固定ネジ
Ｓ，Ｓ１  脚付き椅子
ＳＰ  空間（隙間）
Ｕ  覚醒機器
Ｕ１  制御装置
１１  ハーネス
２０ａ  凹溝（位置ずれ防止部）
２０ｂ  リブ（位置ずれ防止部）
２０ｃ  凸部（位置ずれ防止部）
２１  机
２２，２２ａ  吊り込み溝
２２ｂ  ワイヤ
２３  接触部位
２３ａ  端部
２４  アームレスト
３５  振動装置（刺激装置）
７  ＥＣＵ
７１  保持カバー（ケース）
７１ａ  収容凹溝
７１ｂ  パン取付部（被締結部）
７１ｃ  パン取付孔
７２  ベース部材
７３  カバー部材
７４  座部フレーム
８  バッテリ
９  呼吸センサ
９ａ  電極
９ｂ  導線付きフィルム
【図１】
0006620414.tif 000002
【図２】
0006620414.tif 000003
【図３】
0006620414.tif 000004
【図４】
0006620414.tif 000005
【図５】
0006620414.tif 000006
【図６】
0006620414.tif 000007
【図７】
0006620414.tif 000008
【図８】
0006620414.tif 000009
【図９】
0006620414.tif 000010
【図１０】
0006620414.tif 000011
【図１１】
0006620414.tif 000012
【図１２】
0006620414.tif 000013
【図１３】
0006620414.tif 000014
【図１４】
0006620414.tif 000015